(57)【要約】【課題】複数の搬送波を用いて通信を行う際に、効率的な受信品質情報の報告を行なうことができる端末装置、基地局装置、通信システムおよび通信方法を提供する。【解決手段】基地局装置と端末装置との間で通信を行う通信システムにおいて、前記端末装置は、複数の通信帯域の各々における受信品質情報を生成し、前記複数の通信帯域に設定された順序に従って、前記複数の通信帯域における受信品質情報を結合し、前記結合した受信品質情報を前記基地局装置に報告し、前記基地局装置は、前記端末装置において結合された複数の通信帯域の各々における受信品質情報を取得し、前記順序に従って、前記複数の通信帯域における受信品質情報を分離する。【選択図】図１１
2012114814.tif 000002
【特許請求の範囲】
【請求項１】
基地局装置と通信を行う端末装置であって、
複数の通信帯域の各々における受信品質情報を生成し、
前記複数の通信帯域に設定された順序に従って、前記複数の通信帯域における受信品質情報を結合し、
前記結合した受信品質情報を前記基地局装置に報告することを特徴とする端末装置。
【請求項２】
前記複数の通信帯域に設定された優先度を取得し、前記優先度に基づいて前記順序を設定することを特徴とする請求項１に記載の端末装置。
【請求項３】
基地局装置と通信を行う端末装置であって、
複数の通信帯域の各々における複数の種類の受信品質情報を生成し、
前記複数の種類の受信品質情報に設定された順序に従って、前記複数の通信帯域における受信品質情報を結合し、
前記結合した受信品質情報を前記基地局装置に報告することを特徴とする端末装置。
【請求項４】
前記複数の種類の受信品質情報は、周期的フィードバックモードにおける受信品質情報と非周期的フィードバックモードにおける受信品質情報とであることを特徴とする請求項３に記載の端末装置。
【請求項５】
端末装置と通信を行うで基地局装置あって、
前記端末装置において結合された複数の通信帯域の各々における受信品質情報を取得し、
前記複数の通信帯域に設定された順序に従って、前記複数の通信帯域における受信品質情報を分離することを特徴とする基地局装置。
【請求項６】
前記複数の通信帯域に優先度を設定し、前記優先度に基づいて前記順序を設定することを特徴とする請求項５に記載の基地局装置。
【請求項７】
端末装置と通信を行う基地局装置であって、
前記端末装置において結合された複数の通信帯域の各々における複数の種類の受信品質情報を取得し、
前記複数の種類の受信品質情報に設定された順序に従って、前記複数の通信帯域における受信品質情報を分離することを特徴とする基地局装置。
【請求項８】
前記複数の種類の受信品質情報は、周期的フィードバックモードにおける受信品質情報と非周期的フィードバックモードにおける受信品質情報とであることを特徴とする請求項７に記載の基地局装置。
【請求項９】
基地局装置と端末装置との間で通信を行う通信システムであって、
前記端末装置は、
複数の通信帯域の各々における受信品質情報を生成し、
前記複数の通信帯域に設定された順序に従って、前記複数の通信帯域における受信品質情報を結合し、
前記結合した受信品質情報を前記基地局装置に報告し、
前記基地局装置は、
前記端末装置において結合された複数の通信帯域の各々における受信品質情報を取得し、
前記順序に従って、前記複数の通信帯域における受信品質情報を分離することを特徴とする通信システム。
【請求項１０】
基地局装置と通信を行う端末装置における通信方法であって、
複数の通信帯域の各々における受信品質情報を生成するステップと、
前記複数の通信帯域に設定された順序に従って、前記複数の通信帯域における受信品質情報を結合するステップと、
前記結合した受信品質情報を前記基地局装置に報告するステップと、を有することを特徴とする通信方法。
【請求項１１】
端末装置と通信を行うで基地局装置における通信方法あって、
前記端末装置において結合された複数の通信帯域の各々における受信品質情報を取得するステップと、
前記複数の通信帯域に設定された順序に従って、前記複数の通信帯域における受信品質情報を分離するステップと、を有することを特徴とする通信方法。
【発明の詳細な説明】
【技術分野】
【０００１】
本発明は、端末装置、基地局装置、通信システムおよび通信方法に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような移動無線通信システムでは、基地局装置（基地局、送信局、下りリンク送信装置、上りリンク受信装置、ｅＮｏｄｅＢ）あるいは基地局に準じる送信局がカバーするエリアをセル（Ｃｅｌｌ）状に複数配置するセルラー構成とすることにより、通信エリアを拡大することができる。また、隣接するセル間またはセクタ間で異なる周波数を用いることでセル端（セルエッジ）領域またはセクタ端領域にいる端末装置（移動局、受信局、上りリンク送信装置、下りリンク受信装置、移動端末、ＵＥ；Ｕｓｅｒ  Ｅｑｕｉｐｍｅｎｔ）でも、複数の基地局からの送信信号の干渉を受けることなく通信を行うことができるが、周波数利用効率が低いという問題があった。一方、隣接するセルまたはセクタ間で同一周波数を利用することで、周波数利用効率を向上させることができるが、セル端領域にいる端末装置に対する干渉の対策が必要となる。
【０００３】
また、基地局と端末装置との間の伝送路状況に応じて、変調方式および符号化率（ＭＣＳ；  Ｍｏｄｕｌａｔｉｏｎ  ａｎｄ  Ｃｏｄｉｎｇ  Ｓｃｈｅｍｅ）や空間多重数（レイヤー数、ランク）やプレコーダ（プリコーダ）などを適応的に制御することで、より効率的なデータ伝送を実現することができる。非特許文献１ではこれらの制御を行う方法が示されている。
【０００４】
図１６はＬＴＥにおける基地局１６０１と端末装置１６０２を示す図である。ＬＴＥにおいて、送信される下りリンク送信下りリンク送信信号１６０３に対してＭＣＳや空間多重数やプレコーダを適応的に制御するに際し、端末装置１６０２は基地局１６０１から送信される下りリンク送信下りリンク送信信号１６０３に含まれる下りリンク参照信号（ＲＳ：Ｒｅｆｅｒｅｎｃｅ  Ｓｉｇｎａｌ）を参照して、好適な空間多重数を指定するランク指標ＲＩ（Ｒａｎｋ  Ｉｎｄｉｃａｔｏｒ）、好適なプレコーダを指定するプレコーディング行列情報ＰＭＩ（Ｐｒｅｃｏｄｉｎｇ  Ｍａｔｒｉｘ  Ｉｎｄｉｃａｔｏｒ）好適な伝送レートを指定するチャネル品質指標ＣＱＩ（Ｃｈａｎｎｅｌ  Ｑｕａｌｉｔｙ  Ｉｎｄｉｃａｔｏｒ）などに代表される受信品質情報を計算し、上りリンクのチャネル１６０４を介して基地局１６０１に報告する。
【先行技術文献】
【非特許文献】
【０００５】
【非特許文献１】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｐｈｙｓｉｃａｌ  ｌａｙｅｒ  ｐｒｏｃｅｄｕｒｅｓ  （Ｒｅｌｅａｓｅ  ８）、２００８年１２月、３ＧＰＰ  ＴＳ３６．２１３  Ｖ８．８．０  （２００９−９）
【発明の概要】
【発明が解決しようとする課題】
【０００６】
しかしながら、従来の通信方式では、一つの搬送波における受信品質情報しか報告できず、複数の搬送波を用いて通信を行うシステムへの適用が困難であり、伝送効率の向上を妨げる要因となっていた。
【０００７】
本発明は、上記問題を鑑みてなされたものであり、その目的は、複数の搬送波を用いて通信を行う際に、効率的な受信品質情報の報告を行なうことができる端末装置、基地局装置、通信システムおよび通信方法を提供することにある。
【課題を解決するための手段】
【０００８】
（１）この発明は上述した課題を解決するためになされたもので、本発明の一態様による端末装置は、基地局装置と通信を行う端末装置であって、複数の通信帯域の各々における受信品質情報を生成し、前記複数の通信帯域に設定された順序に従って、前記複数の通信帯域における受信品質情報を結合し、前記結合した受信品質情報を前記基地局装置に報告することを特徴とする。
【０００９】
（２）また、本発明の一態様による端末装置は上記の端末装置であって、前記複数の通信帯域に設定された優先度を取得し、前記優先度に基づいて前記順序を設定することを特徴とする。
【００１０】
（３）また、本発明の一態様による端末装置は、基地局装置と通信を行う端末装置であって、複数の通信帯域の各々における複数の種類の受信品質情報を生成し、前記複数の種類の受信品質情報に設定された順序に従って、前記複数の通信帯域における受信品質情報を結合し、前記結合した受信品質情報を前記基地局装置に報告することを特徴とする。
【００１１】
（４）また、本発明の一態様による端末装置は上記の端末装置であって、前記複数の種類の受信品質情報は、周期的フィードバックモードにおける受信品質情報と非周期的フィードバックモードにおける受信品質情報とであることを特徴とする。
【００１２】
（５）また、本発明の一態様による基地局装置は、端末装置と通信を行うで基地局装置あって、前記端末装置において結合された複数の通信帯域の各々における受信品質情報を取得し、前記複数の通信帯域に設定された順序に従って、前記複数の通信帯域における受信品質情報を分離することを特徴とする。
【００１３】
（６）また、本発明の一態様による基地局装置は上記の基地局装置であって、前記複数の通信帯域に優先度を設定し、前記優先度に基づいて前記順序を設定することを特徴とする。
【００１４】
（７）また、本発明の一態様による基地局装置は、端末装置と通信を行う基地局装置であって、前記端末装置において結合された複数の通信帯域の各々における複数の種類の受信品質情報を取得し、前記複数の種類の受信品質情報に設定された順序に従って、前記複数の通信帯域における受信品質情報を分離することを特徴とする。
【００１５】
（８）また、本発明の一態様による基地局装置は上記の基地局装置であって、前記複数の種類の受信品質情報は、周期的フィードバックモードにおける受信品質情報と非周期的フィードバックモードにおける受信品質情報とであることを特徴とする。
【００１６】
（９）また、本発明の一態様による通信システムは、基地局装置と端末装置との間で通信を行う通信システムであって、前記端末装置は、複数の通信帯域の各々における受信品質情報を生成し、前記複数の通信帯域に設定された順序に従って、前記複数の通信帯域における受信品質情報を結合し、前記結合した受信品質情報を前記基地局装置に報告し、前記基地局装置は、前記端末装置において結合された複数の通信帯域の各々における受信品質情報を取得し、前記順序に従って、前記複数の通信帯域における受信品質情報を分離することを特徴とする。
【００１７】
（１０）また、本発明の一態様による通信方法は、基地局装置と通信を行う端末装置における通信方法であって、複数の通信帯域の各々における受信品質情報を生成するステップと、前記複数の通信帯域に設定された順序に従って、前記複数の通信帯域における受信品質情報を結合するステップと、前記結合した受信品質情報を前記基地局装置に報告するステップとを有することを特徴とする。
【００１８】
（１１）また、本発明の一態様による通信方法は、端末装置と通信を行うで基地局装置における通信方法あって、前記端末装置において結合された複数の通信帯域の各々における受信品質情報を取得するステップと、前記複数の通信帯域に設定された順序に従って、前記複数の通信帯域における受信品質情報を分離するステップとを有することを特徴とする。
【発明の効果】
【００１９】
この発明によれば、複数の搬送波を用いて通信を行う際に、効率的な受信品質情報の報告を行なうことができる。
【図面の簡単な説明】
【００２０】
【図１】本発明の第１の実施形態に係るセル構成の一例を示す図である。
【図２】同実施形態における通信システムの構成を示す概略構成図である。
【図３】同実施形態における下りリンクの無線フレーム構成の一例を示す図である。
【図４】同実施形態における上りリンクの無線フレーム構成の一例を示す図である。
【図５】同実施形態における基地局装置のブロック構成の一例を示す図である。
【図６】同実施形態における端末装置のブロック構成の一例を示す図である。
【図７】同実施形態における周期的フィードバックモードにおけるプロシージャの一例を示す図である。
【図８】同実施形態における周期的フィードバックモードにおけるプロシージャの他の一例を示す図である。
【図９】同実施形態における周期的フィードバックモードにおけるプロシージャの他の一例を示す図である。
【図１０】同実施形態における非周期的フィードバックモードにおけるプロシージャの一例を示す図である。
【図１１】同実施形態におけるフィードバック情報生成部の内部ブロック構成の一例を示す図である。
【図１２】同実施形態におけるフィードバック情報抽出部の内部ブロック構成の一例を示す図である。
【図１３】同実施形態におけるフィードバック情報生成部の内部ブロック構成の一例を示す図である。
【図１４】同実施形態におけるフィードバック情報抽出部の内部ブロック構成の一例を示す図である。
【図１５】同実施形態におけるフィードバック情報のマッピングの一例を示す図である。
【図１６】通信システムの構成を示す概略構成図である。
【発明を実施するための形態】
【００２１】
（第１の実施形態）
以下、図面を参照して、本発明の第１の実施形態について説明する。
【００２２】
図１は、本発明の第１の実施形態に係るセル構成の一例を示している。端末装置は、それぞれ異なる２つの下りリンクコンポーネントキャリア（ＣＣ；Ｃｏｍｐｏｎｅｎｔ  Ｃａｒｒｉｅｒ、下りリンク通信帯域）であるＣＣ＃０およびＣＣ＃１においてカバーされているセル（Ｃｅｌｌ＃０、Ｃｅｌｌ＃１）に接続しており、Ｃｅｌｌ＃０およびＣｅｌｌ＃１における受信品質情報を１つの上りリンクコンポーネントキャリア（ＣＣ＃０、上りリンク通信帯域）で報告する。
【００２３】
図２は本実施形態における通信システムの構成を示す概略構成図である。同図の通信システムはＬＴＥ−Ａシステムを想定しており、セルを構成する基地局装置（基地局、送信局、下りリンク送信装置、上りリンク受信装置、ｅＮｏｄｅＢ）２０１と端末装置（移動局、受信局、上りリンク送信装置、下りリンク受信装置、移動端末、ＵＥ；Ｕｓｅｒ  Ｅｑｕｉｐｍｅｎｔ）２０２とを含んで構成される。Ｃｅｌｌ＃０とＣｅｌｌ＃１において送信される下りリンク送信信号２０３に対してＭＣＳ（Ｍｏｄｕｌａｔｉｏｎ  ａｎｄ  Ｃｏｄｉｎｇ  Ｓｃｈｅｍｅ）やランクやプレコーダなどの送信パラメータを適応的に制御するに際し、端末装置２０２は基地局２０１から送信されるＣＣ＃０とＣＣ＃１毎の下りリンク送信信号２０３に含まれる下りリンク参照信号（ＲＳ：Ｒｅｆｅｒｅｎｃｅ  Ｓｉｇｎａｌ）を参照して、好適な空間多重数を指定するランク指標ＲＩ（Ｒａｎｋ  Ｉｎｄｉｃａｔｏｒ）、好適なプレコーダ（Ｐｒｅｆｅｒｒｅｄ  Ｐｒｅｃｏｄｅｒ）を指定する複数の部分プレコーダ情報ＰＩ（Ｐｒｅｃｏｄｅｒ  Ｉｎｆｏｒｍａｔｉｏｎ）、および好適な伝送レート（変調方式・符号化率・トランスポートブロックの長さなど）を指定するチャネル品質指標ＣＱＩ（Ｃｈａｎｎｅｌ  Ｑｕａｌｉｔｙ  Ｉｎｄｉｃａｔｏｒ）などの受信品質情報をセル毎に計算し、一つのＣＣにおける上りリンクのチャネル２０４を介して、基地局２０１に報告する。ここでは、部分プレコーダ情報ＰＩとして、部分プレコーダ情報１（ＰＩ１、第１の部分プレコーダ情報）および部分プレコーダ情報２（ＰＩ２、第２の部分プレコーダ情報）を報告する場合について説明する。例えば、ＰＩ１としてｍビットで表すことができるインデクスｉと、ＰＩ２としてｎビットで表すことができるインデクスｊとを用いて、好適なプレコーダＷ（ｉ，ｊ）を指定する。あるいは、さらにランクｒを用いて、好適なプレコーダＷ（ｒ）（ｉ，ｊ）を指定する。ただし、Ｗ（ｉ，ｊ）はｉとｊにより一意に決定される行列であり、この決定方法は基地局装置と端末装置との間で共有されている。また、好適なプレコーダの算出方法としては、例えば、下りリンクの伝搬路を考慮した上で、下りリンクの受信信号電力が大きくなるようなプレコーダを算出するという方法などを用いることができる。
【００２４】
図３は、本実施形態に係る下りリンクの無線フレーム構成の一例を示している。下りリンクはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）アクセス方式が用いられる。下りリンクでは、物理下りリンク制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）、物理下りリンク共用チャネル（ＰＤＳＣＨ；Ｐｈｙｓｉｃａｌ  Ｄｏｗｎｌｉｎｋ  Ｓｈａｒｅｄ  Ｃｈａｎｎｅｌ）などが割り当てられる。また、ＰＤＳＣＨの一部に下りリンク参照信号（ＲＳ；Ｒｅｆｅｒｅｎｃｅ  Ｓｉｇｎａｌ）が多重される。下りリンクの無線フレームは、下りリンクのリソースブロック（ＲＢ；Ｒｅｓｏｕｒｃｅ  Ｂｌｏｃｋ）ペアから構成されている。この下りリンクのＲＢペアは、下りリンクの無線リソースの割り当てなどの単位であり、予め決められた幅の周波数帯（ＲＢ帯域幅）及び時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成され、時間領域において７個のＯＦＤＭシンボルから構成される。物理下りリンク制御チャネルは、端末装置識別子、下りリンク共用チャネルのスケジューリング情報、上りリンク共用チャネルのスケジューリング情報、変調方式、符号化率、再送パラメータなどの下りリンク制御情報が送信される物理チャネルである。なお、ここでは一つのＣＣにおける下りリンクサブフレームを記載しているが、ＣＣ毎に下りリンクサブフレームが規定され、下りリンクサブフレームはＣＣ間でほぼ同期している。
【００２５】
図４は、本実施形態に係る上りリンクの無線フレーム構成の一例を示している。上りリンクはＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）方式が用いられる。上りリンクでは、物理上りリンク共用チャネル（Ｐｈｙｓｉｃａｌ  Ｕｐｌｉｎｋ  Ｓｈａｒｅｄ  Ｃｈａｎｎｅｌ；ＰＵＳＣＨ）、物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）などが割り当てられる。また、ＰＵＳＣＨやＰＵＣＣＨの一部に、上りリンク参照信号が割り当てられる。上りリンクの無線フレームは、上りリンクのＲＢペアから構成されている。この上りリンクのＲＢペアは、上りリンクの無線リソースの割り当てなどの単位であり、予め決められた幅の周波数帯（ＲＢ帯域幅）及び時間帯（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成され、時間領域において７個のＳＣ−ＦＤＭＡシンボルから構成される。
【００２６】
図５は、本実施形態に係る基地局装置のブロック構成の一例を示す概略図である。基地局装置は、下りリンクサブフレーム生成部５０１、ＯＦＤＭ信号送信部５０４、送信アンテナ（基地局送信アンテナ）５０５、受信アンテナ（基地局受信アンテナ）５０６、ＳＣ−ＦＤＭＡ信号受信部５０７、フィルタ部５０８、コードワード処理部５１２、上位層５１３を有する。下りリンクサブフレーム生成部５０１は、物理下りリンク制御チャネル生成部５０２、下りリンク参照信号生成部５０３を有する。フィルタ部５０８はフィードバック情報抽出部５０９を有する。
【００２７】
図６は、本実施形態に係る端末装置のブロック構成の一例を示す概略図である。端末装置は、受信アンテナ（端末受信アンテナ）６０１、ＯＦＤＭ信号受信部６０２、下りリンクサブフレーム処理部６０３、上位層６０６、フィードバック情報生成部６０７、コードワード生成部６０８、上りリンクサブフレーム生成部６０９、ＳＣ−ＦＤＭＡ信号送信部６１１、送信アンテナ（端末送信アンテナ）６１２を有する。下りリンクサブフレーム処理部６０３は、下りリンク参照信号抽出部６０４、物理下りリンク制御チャネル抽出部６０５を有する。上りリンクサブフレーム生成部６０９は、上りリンク参照信号生成部６１０を有する。
【００２８】
まず、図５および図６を用いて、下りリンクの送受信の流れについて説明する。基地局装置では、上位層５１３から送られてくるコードワード（物理層における送信データ系列）毎の送信データ（トランスポートブロックとも称す）は、下りリンクサブフレーム生成部５０１において、誤り訂正符号化、レートマッチング処理、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。変調シンボル系列は、変調シンボル系列のマッピング単位であるリソースエレメント（ＲＥ；Ｒｅｓｏｕｒｃｅ  ｅｌｅｍｅｎｔ）にマッピングされ、上位層により指示されたプレコーダによりプレコーディング処理が施される。なお、下りリンクにおけるＲＥは、各ＯＦＤＭシンボル上の各サブキャリアに対応して規定される。このとき、上位層４１３から送られてくる送信データ系列は、ＲＲＣ（Ｒａｄｉｏ  Ｒｅｓｏｕｒｃｅ  Ｃｏｎｔｒｏｌ）シグナリング用の制御データを含む。また、物理下りリンク制御チャネル生成部５０２では、上位層５１３の指示により、物理下りリンク制御チャネルが生成される。ここで、物理下りリンク制御チャネルに含まれる制御情報は、下りリンクにおける送信パラメータ、上りリンクのリソース割り当て・上りリンクの送信パラメータ・ＣＱＩリクエストなどの情報を含む。下りリンク参照信号生成部５０３は、下りリンク参照信号ＤＬＲＳ（Ｄｏｗｎ  Ｌｉｎｋ  Ｒｅｆｅｒｅｎｃｅ  Ｓｉｇｎａｌ）が生成される。下りリンクサブフレーム生成部５０１は、物理下りリンク制御チャネルとＤＬＲＳとを、下りリンクサブフレーム内のＲＥにマッピングする。下りリンクサブフレーム生成部５０１で生成された下りリンクサブフレームは、ＯＦＤＭ信号送信部５０４においてＯＦＤＭ信号に変調され、送信アンテナ５０５を介して送信される。
【００２９】
端末装置では、受信アンテナ６０１を介して、ＯＦＤＭ信号受信部６０２においてＯＦＤＭ信号が受信され、ＯＦＤＭ復調処理が施される。下りリンクサブフレーム処理部６０３は、受信した下りリンクサブフレームから受信データを抽出して上位層６０６に送る。より具体的には、下りリンクサブフレーム生成部５０１における変調処理、レートマッチング処理、誤り訂正符号化に対応する復調処理、レートマッチング処理、誤り訂正復号化などが施される。下りリンク参照信号抽出部６０４は、下りリンク参照信号生成部５０３において生成され、下りリンクサブフレーム生成部５０１においてマッピングされたＤＬＲＳを抽出し、フィードバック情報生成部６０７に送る。物理下りリンク制御チャネル抽出部６０５は、物理下りリンク制御チャネル生成部５０２において生成され、下りリンクサブフレーム生成部５０１においてマッピングされた物理下りリンク制御チャネルに含まれる制御情報を抽出し、上位層６０６に送る。
【００３０】
ここで、基地局装置における下りリンクサブフレーム生成部５０１とＯＦＤＭ信号送信部５０４と送信アンテナ５０５とにおける処理、および端末装置における受信アンテナ６０１とＯＦＤＭ信号受信部６０２と下りリンクサブフレーム処理部６０３とにおける処理は、下りリンクのセル毎に行われる。また、フィードバック情報生成部６０７は、複数の下りリンクセルにおける受信品質情報（フィードバック情報）を生成する。
【００３１】
次に、図５および図６を用いて、上りリンクの送受信の流れについて説明する。端末装置では、上位層６０６から送られてくるコードワード毎の送信データ（トランスポートブロックとも称す）は、コードワード生成部６０８において、誤り訂正符号化、レートマッチング処理などの処理により、コードワードＣＷ（Ｃｏｄｅ  Ｗｏｒｄ）に変換される。フィードバック情報生成部６０７は、上位層６０６の指示に従い、下りリンク参照信号抽出部６０７で抽出されたＤＬＲＳを用いて、ＲＩ・ＰＩ１・ＰＩ２・ＣＱＩなどの符号化してフィードバック情報を生成する。上りリンク参照信号生成部６１０は、上りリンク参照信号ＵＬＲＳ（ＵｐＬｉｎｋ  Ｒｅｆｅｒｅｎｃｅ  Ｓｉｇｎａｌ）を生成する。上りリンクサブフレーム生成部６０９は、コードワード変調シンボル系列とフィードバック情報とを所定の方法で並び替えた後、上りリンク参照信号とともに、上りリンクサブフレームにマッピングする。ＳＣ−ＦＤＭＡ信号送信部６１１は、上りリンクサブフレームにＳＣ−ＦＤＭＡ変調を施してＳＣ−ＦＤＭＡ信号を生成し、送信アンテナ６１２を介して送信する。
【００３２】
基地局装置では、受信アンテナ５０６を介して、ＳＣ−ＦＤＭＡ信号受信部５０７においてＳＣ−ＦＤＭＡ信号が受信され、ＳＣ−ＦＤＭＡ復調処理が施される。フィルタ部６０３は、受信した上りリンクサブフレームからコードワードを抽出してコードワード処理部５１２に送る。コードワード処理部は、コードワードから受信データを抽出して上位層５１３に送る。より具体的には、コードワード生成部６０８におけるレートマッチング処理、誤り訂正符号化に対応するレートマッチング処理、誤り訂正復号化などが施すことにより受信データを抽出する。フィルタ部５０８内のフィードバック情報抽出部５０９は、フィードバック情報生成部６０７において生成され、上りリンクサブフレーム生成部５０１においてマッピングされたフィードバック情報を、上位層からの指示に従って抽出して復号化し、上位層５１３に送る。ここで、フィルタ部６０３が行うフィルタリング処理では、受信アンテナ５０６毎の受信信号に対して、ＺＦ（Ｚｅｒｏ  Ｆｏｒｃｉｎｇ）やＭＭＳＥ（Ｍｉｎｉｍｕｍ  Ｍｅａｎ  Ｓｑｕａｒｅ  Ｅｒｒｏｒ）やＭＬＤ（Ｍａｘｉｍｕｍ  Ｌｉｋｅｌｉｈｏｏｄ  Ｄｅｔｅｃｔｉｏｎ）などの方法を用いて、コードワード毎の信号を検出する。
【００３３】
ここで、端末装置におけるフィードバック情報生成部６０７は、複数の下りリンクセルにおける受信品質情報（フィードバック情報）を生成する。また、基地局装置におけるフィードバック情報抽出部５０９は、複数の下りリンクセルにおける受信品質情報（フィードバック情報）を抽出する。
【００３４】
図７は、本実施形態に係る周期的フィードバックモードにおけるプロシージャの一例を示している。図７に示したプロシージャは、一つのセルにおけるＲＩ・ＰＩ１・ＰＩ２・Ｗ−ＣＱＩ（Ｗｉｄｅｂａｎｄ  ＣＱＩ）を周期的にフィードバックする周期的フィードバックモード（第１のフィードバックモード）におけるプロシージャの一例である。なお、Ｗ−ＣＱＩはシステム帯域幅（コンポーネントキャリア帯域幅）を代表する１つのＣＱＩである。また、ここでいうフィードバックモードは、端末装置から基地局装置にフィードバックする受信品質情報のコンテンツの組み合わせ、それぞれのコンテンツの測定あるいは生成方法、およびそれぞれのコンテンツのフィードバック方法あるいはフィードバックに用いるリソースなどの設定を含む。まず、基地局はＲＲＣシグナリングを介して、端末装置におけるフィードバックのパラメータを設定し、第１のフィードバックモードを指示する（ステップＳ７０１）。周期的なフィードバックを指示された端末装置は、設定されたフィードバックのパラメータに従いＲＩおよびＰＩ１（ステップＳ７０２）とＰＩ２およびＷ−ＣＱＩ（ステップＳ７０３）とをそれぞれ周期的に基地局装置に物理上りリンク制御チャネルを介して報告する。ここで、ステップＳ７０２の報告をフィードバックタイプ１Ａ、ステップＳ７０３の報告をフィードバックタイプ１Ｂと称す。
【００３５】
図８は、本実施形態に係る周期的フィードバックモードにおけるプロシージャの他の一例を示している。図８に示したプロシージャは、一つのセルにおけるＲＩ・ＰＴＩ（Ｐｒｅｃｏｄｅｒ  Ｔｙｐｅ  Ｉｎｄｉｃａｔｉｏｎ）・ＰＩ１・ＰＩ２・Ｗ−ＣＱＩ・Ｓ−ＣＱＩ（Ｓｕｂｂａｎｄ−ＣＱＩ）を周期的にフィードバックする周期的フィードバックモード（第２のフィードバックモード）におけるプロシージャの一例である。Ｓ−ＣＱＩ（Ｓｕｂｂａｎｄ−ＣＱＩ）を周期的にフィードバックするフィードバックモードの場合は、さらにＳ−ＣＱＩを周期的に報告する。ここで、Ｓ−ＣＱＩは、システム帯域幅（コンポーネントキャリア帯域幅）を複数の狭帯域に分割し、分割された帯域ＢＰ（Ｂａｎｄｗｉｄｔｈ  Ｐａｒｔ）を代表するＣＱＩである。より具体的には、ＢＰに含まれる一つ以上サブバンド（ＢＰをさらに分割した帯域）のうちの一つのサブバンドにおけるＣＱＩである。また、後述するように、ＰＴＩはフィードバックする内容を切り替えるための指標である。まず、基地局はＲＲＣシグナリングを介して、端末装置におけるフィードバックのパラメータを設定し、第２のフィードバックモードを指示する（ステップＳ８０１）。周期的なフィードバックを指示された端末装置は、設定されたフィードバックのパラメータに従いＲＩおよびＰＴＩ（ステップＳ８０２）を周期的に基地局装置に物理上りリンク制御チャネルを介して報告する。ステップ８０２において報告したＰＴＩがサブバンド毎のＰＩ２を報告するようなプレコーダタイプを示す場合、設定されたフィードバックのパラメータに従いＰＩ１およびＷ−ＣＱＩ（ステップＳ８０３）とＰＩ２およびＳ−ＣＱＩ（ステップＳ８０３）とをそれぞれ周期的に基地局装置に物理上りリンク制御チャネルを介して報告する。ここで、ＰＩ２は、同時に送信するＳ−ＣＱＩに対応するサブバンドにおいて算出されたＰＩ２である。一方、ステップ８０２において報告したＰＴＩがシステム帯域幅（コンポーネントキャリア帯域幅）におけるＰＩ２を報告するようなプレコーダタイプを示す場合、設定されたフィードバックのパラメータに従いＰＩ２およびＷ−ＣＱＩ（ステップＳ８０５）とＳ−ＣＱＩ（ステップＳ８０６）とをそれぞれ周期的に基地局装置に物理上りリンク制御チャネルを介して報告する。なお、この場合はＰＩ１は報告せず、ＰＩ２のみで好適なプレコーダを指定するようなコードブックを用いる。ここで、ステップＳ８０２の報告をフィードバックタイプ２Ａ、ステップＳ８０３の報告をフィードバックタイプ２Ｂ、ステップＳ８０４の報告をフィードバックタイプ２Ｃ、ステップＳ８０５の報告をフィードバックタイプ２Ｄ、ステップＳ８０６の報告をフィードバックタイプ２Ｅと称す。なお、フィードバックタイプ２Ｄはフィードバックタイプ１Ｂと同様の報告でもよし、ＰＩ２やＷ−ＣＱＩの算出方法をそれぞれ個別に設定することもできる。
【００３６】
図９は、本実施形態に係る周期的フィードバックモードにおけるプロシージャの他の一例を示している。図９に示したプロシージャは、一つのセルにおけるＲＩ・ＰＩ１・ＰＩ２・Ｗ−ＣＱＩ・Ｓ−ＣＱＩを周期的にフィードバックする周期的フィードバックモード（第３のフィードバックモード）におけるプロシージャの一例である。まず、基地局はＲＲＣシグナリングを介して、端末装置におけるフィードバックのパラメータを設定し、第３のフィードバックモードを指示する（ステップＳ９０１）。周期的なフィードバックを指示された端末装置は、設定されたフィードバックのパラメータに従いＲＩ（ステップＳ９０２）を周期的に基地局装置に物理上りリンク制御チャネルを介して報告する。次に、設定されたフィードバックのパラメータに従いＰＩ１・ＰＩ２およびＷ−ＣＱＩ（ステップＳ９０３）とＳ−ＣＱＩ（ステップＳ９０３）とをそれぞれ周期的に基地局装置に物理上りリンク制御チャネルを介して報告する。ここで、ステップＳ９０２の報告をフィードバックタイプ３Ａ、ステップＳ９０３の報告をフィードバックタイプ３Ｂ、ステップＳ９０４の報告をフィードバックタイプ３Ｃと称す。なお、フィードバックタイプ３Ｃはフィードバックタイプ２Ｅと同様の報告でもよし、Ｓ−ＣＱＩの算出方法をそれぞれ個別に設定することもできる。
【００３７】
図１０は、本実施形態に係るプロシージャの一例を示している。図１０に示したプロシージャは、ＲＩ・ＰＩ１・ＰＩ２・Ｗ−ＣＱＩを非周期的にフィードバックする非周期的フィードバックモード（第４のフィードバックモード）におけるプロシージャの一例である。まず、基地局はＲＲＣシグナリングを介して、端末装置におけるフィードバックのパラメータを設定する（ステップＳ１００１）。次に、基地局は、非周期的なフィードバックを指示する情報であるＣＱＩリクエストを端末装置に通知する（ステップＳ１００２）。また、フィードバック情報を同時に報告するリソース（例えば物理上りリンク共用チャネル）を割り当てる。非周期的なフィードバックを指示された端末装置は、設定されたフィードバックのパラメータに従いＲＩ、ＰＩ１、ＰＩ２およびＷ−ＣＱＩを同時に（同じタイミングで）基地局装置に報告する（ステップＳ１００３）。Ｓ−ＣＱＩをフィードバックする非周期的フィードバックモードの場合は、さらにＳ−ＣＱＩを同時に報告する。ここで、端末装置は、複数の帯域ＢＰのＳ−ＣＱＩを同時に報告する。なお、ここではステップＳ１００２における端末装置におけるＣＱＩリクエストの通知を物理下りリンク制御チャネルを介した動的なシグナリングで行う例について説明するが、これに限るものではない。例えば、ＲＲＣシグナリングを介した準静的なシグナリングなどで、非周期的なフィードバックの指示を行うようにしても同様の効果を得ることができる。この場合、さらに報告するサブフレームを指定することが好ましい。
【００３８】
周期的フィードバックモードにおいて、いずれかのフィードバック情報を報告（ステップＳ７０２、ステップＳ７０３、ステップＳ８０２、ステップＳ８０３、ステップＳ８０４、ステップＳ８０５、ステップＳ８０６、ステップＳ９０２、ステップＳ９０３、ステップＳ９０４）は、通常は物理層における制御情報を報告するチャネルである物理上りリンク制御チャネルを介して行われる。しかし、これらいずれかのフィードバック情報を報告が行われるタイミングで、物理層におけるデータを送信するチャネルである物理上りリンク共用チャネルが割り当てられている場合、フィードバック情報は物理上りリンク共用チャネルを介して報告される。なお、物理層における制御情報を物理上りリンク共用チャネルを介して報告する動作をピギーバックと称する。
【００３９】
非周期的フィードバックモードにおいて、通常はステップＳ１００２におけるＣＱＩリクエストは、物理上りリンク共用チャネルの割り当てを指定する（物理上りリンク共用チャネルの送信をトリガする）下りリンク制御情報である上りリンクグラントに含まれる。また、ステップＳ１００３におけるフィードバック情報の報告は、割り当てられた物理上りリンク共用チャネルの一部を用いて行われる。
【００４０】
ここで、一つの物理上りリンク共用チャネルを介して、複数の下りリンクＣＣにおけるフィードバック情報を報告する場合がある。例えば、一つのセルにおける周期的フィードバックモードのいずれかのフィードバック情報の報告（ステップＳ７０２、ステップＳ７０３、ステップＳ８０２、ステップＳ８０３、ステップＳ８０４、ステップＳ８０５、ステップＳ８０６、ステップＳ９０２、ステップＳ９０３、ステップＳ９０４）のタイミングと同じタイミングで送信される物理上りリンク共用チャネルが、他の一つのセルにおけるＳ１００２のＣＱＩリクエストを含む上りリンクグラントでトリガされた場合、言い換えれば、Ｃｅｌｌ＃０における周期的フィードバックモードのいずれかのフィードバック情報を報告とＣｅｌｌ＃１における非周期的フィードバックモードのフィードバック情報を報告とが同じタイミングとなった場合である。 
【００４１】
あるいは、複数のセルにおけるＳ１００２のＣＱＩリクエストを含む上りリンクグラントでトリガされた場合、言い換えれば、Ｃｅｌｌ＃０における非周期的フィードバックモードのいずれかのフィードバック情報を報告とＣｅｌｌ＃１における非周期的フィードバックモードのフィードバック情報を報告とが同じタイミングとなった場合である。
【００４２】
次に、複数のセルにおけるフィードバック情報（受信品質情報）の生成処理および抽出処理の一例について説明する。図１１は、複数のセルにおけるフィードバック情報を一つの物理チャネルを報告する際のフィードバック情報生成部６０７の内部ブロック構成の一例を示す図である。フィードバック情報生成部６０７は結合部１１０１および符号化部（フィードバック情報符号化部）１１０２を有する。
【００４３】
結合部１１０１は、Ｃｅｌｌ＃０の受信品質情報（フィードバック情報）を示すビット系列とＣｅｌｌ＃１の受信品質情報（フィードバック情報）を示すビット系列とをシリアルに結合する。符号化部１１０２は、結合部１１０１において結合されたビット系列に対して誤り訂正符号をかける。
【００４４】
図１２は、複数のセルにおけるフィードバック情報を一つの物理チャネルを報告する際のフィードバック情報抽出部５０９の内部ブロック構成の一例を示す図である。フィードバック情報抽出部５０９は、復号化部（フィードバック情報復号化部）１２０１および分離部１２０２を有する。
【００４５】
復号化部１２０１は、符号化部１１０２においてかけられた誤り訂正符号に対応する復号化処理が行われる。分離部１２０２は、結合部１１０１での結合処理と逆の処理を行う。すなわち、復号化されたビット系列をＣｅｌｌ＃０の受信品質情報（フィードバック情報）を示すビット系列とＣｅｌｌ＃１の受信品質情報（フィードバック情報）を示すビット系列とを分離する。
【００４６】
これにより、一度の符号化処理に対する入力ビット数が多くなるため、大きな符号化利得を得ることができる。
【００４７】
次に、複数のセルにおけるフィードバック情報（受信品質情報）の生成処理および抽出処理の他の一例について説明する。図１３は、複数のセルにおけるフィードバック情報を一つの物理チャネルを報告する際のフィードバック情報生成部６０７の内部ブロック構成の他の一例を示す図である。フィードバック情報生成部６０７は符号化部１３０１・１３０２および結合部１３０１を有する。
【００４８】
符号化部１３０１・１３０２は、それぞれＣｅｌｌ＃０・Ｃｅｌｌ＃１の受信品質情報（フィードバック情報）を示すビット系列に対して誤り訂正符号をかける。なお、好ましくは、符号化部１３０１と符号化部１３０２は回路を共用する。結合部１３０３は、Ｃｅｌｌ＃０の受信品質情報（フィードバック情報）を示すビット系列を符号化した符号化ビット系列とＣｅｌｌ＃１の受信品質情報（フィードバック情報）を示すビット系列を符号化した符号化ビット系列とをシリアルに結合する。 
【００４９】
図１４は、複数のセルにおけるフィードバック情報を一つの物理チャネルを報告する際のフィードバック情報抽出部５０９の内部ブロック構成の他の一例を示す図である。フィードバック情報抽出部５０９は、分離部１４０１および復号化部１４０２・１４０３を有する。
【００５０】
分離部１２０２は、結合部１３０３での結合処理と逆の処理を行う。すなわち、Ｃｅｌｌ＃０の受信品質情報（フィードバック情報）を示す符号化ビット系列とＣｅｌｌ＃１の受信品質情報（フィードバック情報）を示す符号化ビット系列とを分離する。復号化部１４０２・１４０３は、それぞれ符号化部１３０１・１３０２においてかけられた誤り訂正符号に対応する復号化処理が行われる。なお、好ましくは、復号化部１４０２復号化部１４０３は回路を共用する。
【００５１】
次に、符号化処理および結合処理を施したフィードバック情報のマッピングについて説明する。図１５は、フィードバック情報のマッピングの一例を示している。図１５に示す並び替えとマッピングは、上りリンクで複数のＣＷ（ＣＷ０とＣＷ１）を送信する場合の例である。なお、ここでは、ＣＷ０とＣＷ１は、それぞれレイヤ１とレイヤ２を用いて送信するものとして説明する。ここで、レイヤ（レイヤー）とは空間多重のインデクスであり、レイヤ数は空間多重数を示す。ＵＬＲＳは、各レイヤの４番目と１１番目のＳＣ−ＦＤＭＡシンボルにマッピングされる。ＲＩあるいはＰＴＩを含むフィードバック情報と、それ以外のフィードバック情報（例えばＣＱＩやＰＩ２を含むフィードバック情報）は、図１５に示すような並び替えを行う。なお、ここでのパラメータは一例であり、これ以外のパラメータを用いることができるのは勿論である。例えば、ＣＷ０だけを送信する場合は、図１５のレイヤ１と同様のマッピングを行えばよい。
【００５２】
より具体的には、ＣＱＩやＰＩ２を含むフィードバック情報は、まずＣＷ０と結合される。このとき、ＣＱＩやＰＩ２を含むフィードバック情報、ＣＷ０の順で結合する。その後、結合されたシンボル系列は系列の先頭から順に、レイヤ１の１番目のＳＣ−ＦＤＭＡシンボルの最前方、レイヤ１の２番目のＳＣ−ＦＤＭＡシンボルの最前方、・・・、レイヤ１の１４番目のＳＣ−ＦＤＭＡシンボルの最前方、レイヤ１の１番目のＳＣ−ＦＤＭＡシンボルの前方から２番目、・・・というように、ＣＷ０を送信するレイヤの各ＳＣ−ＦＤＭＡシンボルの最前方から順次マッピングされるように並び替えが行われる。一方、ＣＷ１は系列の先頭から順に、レイヤ２の１番目のＳＣ−ＦＤＭＡシンボルの最前方、レイヤ２の２番目のＳＣ−ＦＤＭＡシンボルの最前方、・・・、レイヤ２の１４番目のＳＣ−ＦＤＭＡシンボルの最前方、レイヤ２の１番目のＳＣ−ＦＤＭＡシンボルの前方から２番目、・・・というように、ＣＷ１を送信するレイヤの各ＳＣ−ＦＤＭＡシンボルの最前方から順次マッピングされるように並び替えが行われる。ＲＩあるいはＰＴＩを含むフィードバック情報は、すべてのレイヤにおけるＵＬＲＳの近くのＳＣ−ＦＤＭＡシンボルの一部あるいは全部（例えば図１５に示すようにレイヤ１および２の２、６、９、１３番目のＳＣ−ＦＤＭＡシンボルの後方）にマッピングされるように並び替えが行われる。すなわち、ＲＩとＰＩ２あるいはＣＱＩとを異なる空間多重数で送信（報告）する。
【００５３】
これらの並び替えおよびマッピング処理は、上位層６０６の指示の下で、上りリンクサブフレーム生成部６０９で行われる。一方、基地局装置内のフィードバック情報抽出部５０９は、上位層５１３の指示の下で、上りリンクサブフレーム生成部６０９におけるマッピングに対応したデマッピング、上りリンクサブフレーム生成部６０９における並べ替えを元に戻すような並べ替え処理を行うことにより、フィードバック情報を取得する。
【００５４】
ここで、上記ＲＩあるいはＰＴＩを含むフィードバック情報とは、一つのセルにおけるフィードバックタイプ１Ａ、フィードバックタイプ２Ａあるいはフィードバックタイプ３Ａにおけるフィードバック情報と、他の一つのセルにおける非周期的フィードバックモードのＲＩとに対して、あるいは一つのセルにおける非周期的フィードバックモードのＲＩと他の一つのセルにおける非周期的フィードバックモードのＲＩとに対して、図１１あるいは図１３のように結合処理と符号化処理を施したフィードバック情報である。また、上記ＰＩ２あるいはＣＱＩを含むフィードバック情報とは、一つのセルにおけるフィードバックタイプ１Ｂ、フィードバックタイプ２Ｂ、フィードバックタイプ２Ｃ、フィードバックタイプ２Ｄ、フィードバックタイプ２Ｅ、フィードバックタイプ３Ｂあるいはフィードバックタイプ３Ｃにおけるフィードバック情報と、他の一つのセルにおける非周期的フィードバックモードのＰＩ１、ＰＩ２あるいはＣＱＩとに対して、あるいは一つのセルにおける非周期的フィードバックモードのＰＩ１、ＰＩ２あるいはＣＱＩと他の一つのセルにおける非周期的フィードバックモードのＰＩ１、ＰＩ２あるいはＣＱＩとに対して、図１１あるいは図１３のように結合処理と符号化処理を施したフィードバック情報である。すなわち、結合処理と符号化処理は、ＲＩを含むフィードバック情報と、それ以外のフィードバック情報とに分けて行われる。これにより、所望品質が異なるフィードバック情報に対して、それぞれ適した符号化処理を行うことができる。
【００５５】
これにより、ＲＩやＰＴＩなどの重要度の高い情報の検出精度を高めることができるため、受信品質を向上することができる。また、ＰＩ２やＣＱＩなどの情報量が多い情報のインタリーブ効果（並べ替えによるバースト誤り低減効果）を高めることができるため、受信品質を向上することができる。
【００５６】
これにより、セル毎に復号化処理を行えるようになるため、複数のセルにおけるフィードバック情報を同時に誤るような、いわゆるバースト的な誤りを抑制することができる。
【００５７】
次に、結合部１１０１あるいは結合部１３０３における結合の順序について説明する。本実施形態に係る結合の順序は、セルに対応して決められた順序を用いる。セルに対応して決められた順序は、例えば、
（１）セルが対応する下りリンクＣＣの搬送波周波数
（２）セル識別子（セル番号、ＣＣ番号）
（３）端末装置が報知情報をモニタリングするセル（ＰＣｅｌｌ）であるか、ＰＣｅｌｌ以外のセル（ＳＣｅｌｌ）であるか
（４）ＲＲＣシグナリングなどの上位層におけるシグナリングにより各セルに予め設定された優先度（例えば、複数のセルにおいて周期的フィードバックのフィードバック情報を報告するタイミングが同時になった場合に、いずれのセルのフィードバック情報を送信するかに関する優先度と同じ優先度）
などの情報を用いて一意に決定する。なお、セルの順序は、基地局装置固有の順序にすることで、スケジューリングの複雑性を軽減することができる。あるいは、端末装置固有の順序にすることで、自由度の高いスケジューリングを行うことができる。
【００５８】
このように、複数のセルに予め順序を設定し、端末装置は複数のセルにおけるフィードバック情報の報告のタイミングが重なった場合に、この順序に従って複数のフィードバック情報を結合して基地局装置に報告する。これにより、基地局装置と端末装置との間で、フィードバック情報の結合順序の曖昧さを解消することができるため、効率的な受信品質情報の報告および抽出を行うことができる。
なお、以上の説明では、各フィードバックモードにおいてＰＩ１を報告する場合について説明したが、これに限るものではない。例えば、基地局装置の送信アンテナ数が少ない場合に、ＰＩ１を報告しないようにしてもよい。この場合、好適なプレコーダはＰＩ２のみから一意に決まるようなコードブックにしておけばよい。また、ＰＩ１を含むフィードバックタイプは、ＰＩ１以外のコンテンツを報告するフィードバックタイプとすればよい。
（第２の実施形態）
【００５９】
上記第１の実施形態では、複数のセルに予め順序を設定する場合について説明した。本発明の第２の実施形態では、フィードバック情報の種類に予め順序を設定する場合について説明する。なお、本実施形態と第１の実施形態との違いは、結合部１１０１と分離部１２０２、あるいは結合部１３０３と分離部１４０１における結合順序であり、その他の処理および効果は第１の実施形態と同様である。
【００６０】
本実施形態に係る結合の順序は、フィードバック情報の種類に対応して決められた順序を用いる。フィードバック情報の種類に対応して決められた順序は、例えば、
（１）周期的フィードバックモードにおけるフィードバック情報か、非周期的フィードバックモードにおけるフィードバック情報か
（２）フィードバックモード番号（第１フィードバックモード、第２フィードバックモード・・・など）
（３）フィードバック情報が所定のコンテンツ（例えば、ＰＴＩやＷ−ＣＱＩやＰＩ１など）を含んでいるか
（４）フィードバックタイプに振られた優先度
などの情報を用いて一意に決定する。
【００６１】
このように、複数のフィードバック情報の種類に予め順序を設定し、端末装置は複数のセルにおけるフィードバック情報の報告のタイミングが重なった場合に、この順序に従って複数のフィードバック情報を結合して基地局装置に報告する。これにより、基地局装置と端末装置との間で、フィードバック情報の結合順序の曖昧さを解消することができるため、効率的な受信品質情報の報告および抽出を行うことができる。
【００６２】
なお、上記第１の実施形態および第２の実施形態では、それぞれ異なる順序の規定の方法に関して説明したが、両者を組み合わせた順序の規定を行うこともできる。例えば、まず、フィードバック情報の種類で順序付けし、フィードバック情報の種類が同じ場合はセルの順序で順序付けすることもできる。
【００６３】
また、上記各実施形態では、異なるコンポーネントキャリアに対応する複数のセルにおける受信品質情報を報告する場合について説明したが、これに限るものではない。この他の方法（例えば、送信点など）で規定された複数のセルにも、同様に適用することができる。また、１つの上りリンクで受信品質情報を報告する場合について説明したが、これに限るものではない。２つ以上の上りリンクで受信品質情報を報告する場合であっても、１つの上りリンクに着目することで、本発明を適用することができる。
【００６４】
また、上記各実施形態では、二つのセルにおける受信品質情報を報告する場合について説明したが、これに限るものではない。三つ以上の複数のセルにも、同様に適用することができる。この場合、結合部において結合するフィードバック情報の数および分離部において分離するフィードバック情報の数を増やせばよい。
【００６５】
なお、基地局装置の全部または一部、あるいは端末装置の全部または一部との機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００６６】
また、「コンピュータシステム」は、ＷＷＷシステムを利用している場合であれば、ホームページ提供環境（あるいは表示環境）も含むものとする。
【００６７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６８】
また、基地局装置の全部または一部と、端末装置の全部または一部との機能を集積回路に集約して実現してもよい。基地局装置、及び端末装置の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【００６９】
以上、この発明の実施形態を図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【００７０】
本発明は、無線基地局装置や無線端末装置や無線通信システムや無線通信方法に用いて好適である。
【符号の説明】
【００７１】
２０１、１６０１…基地局装置
２０２、１６０２…端末装置
２０３、１６０３…下りリンク送信信号
２０４、１６０４…フィードバック情報
５０１…下りリンクサブフレーム生成部
５０２…物理下りリンク制御チャネル生成部
５０３…下り参照信号生成部
５０４…ＯＦＤＭ信号送信部
５０５…送信アンテナ
５０６…受信アンテナ
５０７…ＳＣ−ＦＤＭＡ信号受信部
５０８…フィルタ部
５０９…フィードバック情報抽出部
５１０…コードワード処理部
５１１…上位層
６０１…受信アンテナ
６０２…ＯＦＤＭ信号受信部
６０３…下りリンクサブフレーム処理部
６０４…下り参照信号抽出部
６０５…物理下りリンク制御チャネル抽出部
６０６…上位層
６０７…フィードバック情報生成部
６０８…コードワード生成部
６０９…上りリンクサブフレーム生成部
６１０…上り参照信号生成部
６１１…ＳＣ−ＦＤＭＡ信号送信部
６１２…送信アンテナ
１１０１、１３０３…結合部
１１０２、１３０１、１２０２…符号化部
１２０１、１４０２、１４０３…復号化部
１２０２、１４０１…分離部
【図１】
2012114814.tif 000003
【図２】
2012114814.tif 000004
【図３】
2012114814.tif 000005
【図４】
2012114814.tif 000006
【図５】
2012114814.tif 000007
【図６】
2012114814.tif 000008
【図７】
2012114814.tif 000009
【図８】
2012114814.tif 000010
【図９】
2012114814.tif 000011
【図１０】
2012114814.tif 000012
【図１１】
2012114814.tif 000013
【図１２】
2012114814.tif 000014
【図１３】
2012114814.tif 000015
【図１４】
2012114814.tif 000016
【図１５】
2012114814.tif 000017
【図１６】
2012114814.tif 000018